(57)【要約】【課題】  映画等の映像をデジタルメディア経由で安全に配給および再生する。 【解決手段】  映画配給業者１２において、コンピュータシステム２２が、マスターフィルム１４に応じた映像信号をＤＶＤ−Ｖｉｄｅｏ規格に準拠したシリアル映像データ４１に変換する。さらにコンピュータシステム２２はこのデータ４１を構成するシーンデータ４２−１，４２−２，…の順序を変更し、シーンデータ毎に暗号化して暗号化非シリアル映像データ４５を生成し、これを配給用ＤＶＤ−ＲＯＭ１５−１，１５−２，…に分割して配給する。一方、劇場１３においては、シリアル化装置５１が、配給用ＤＶＤ−ＲＯＭ１５−１，１５−２，…から上記データ４５を読み出し、そのシーンデータを正しい順序に並べ替えて暗号化シリアル映像データ８０を生成し、映写機５２が、このデータ８０の暗号化を解除してデータ４１を作成し、これを再生することで映画を上映する。【選択図】      図４
2005143125.tif 000002
【特許請求の範囲】
【請求項１】
映画配給側から映画を上映する各劇場に映画を配給して上映する方法であって、
前記映画配給側では、映画製作者により制作された映画のマスターフィルムから時系列に沿ったシーン毎の映画データを得て、これらシーン毎の映像データを予め決められた手順で複数のユニットにランダムに分散し、分散後の各ユニット内の映像データに暗号化を施し、前記全てのユニットを複数のＤＶＤ−ＲＯＭ（Digital Versatile Disc-Read Only Memory）にランダムに分散記憶させ、前記ＤＶＤ−ＲＯＭを１セットとして前記各劇場に配給し、
前記各劇場では、配給された１セットのＤＶＤ−ＲＯＭ内の映像データをハードディスクに記憶させ、前記ハードディスクに記憶された映像データを前記各ユニット毎に読み出し、読み出した前記各ユニット毎の映像データの暗号を解除し、
解除後の前記各ユニットの映像データを予め決められた手順で時系列に沿って並べかえ、並べかえた映像データを用いて映画を上映する
ことを特徴とする映画配給再生方法。
【請求項２】
請求項１に記載の映像配給再生方法を実現するために配給側に設けられる映像配給側装置であって、
映画製作者により制作された映画のマスターフィルムをシーン毎に読み取り、時系列に沿った当該シーン毎のアナログ形式の映像信号をシーン毎に出力するフィルム読取手段と、
前記フィルム読取手段から出力されるシーン毎の映像信号をデジタル化して映像データに変換し、前記映像データを予め決められた手順で複数のユニットにランダムに分散し、分散後の各ユニット内の映像データに暗号化を施し、前記全てのユニットを複数のＤＶＤ−ＲＯＭ（Digital Versatile Disc-Read Only Memory）にランダムに分散記憶させ、前記ＤＶＤ−ＲＯＭを１セットとして作成するコンピュータ手段と
を具備することを特徴とする映画配給側装置。
【請求項３】
請求項１に記載の映像配給再生方法を実現するために各劇場に設けられる映像再生側装置であって、
ハードディスクと、
配給された１セットのＤＶＤ−ＲＯＭ内の映像データを前記ハードディスクに記憶させ、前記ハードディスクに記憶された映像データを前記各ユニット毎に読み出し、読み出した前記各ユニット毎の映像データの暗号を解除し、解除後の前記各ユニットの映像データを予め決められた手順で時系列に沿って並べかえる復元手段と、
前記復元手段により並べかえられた映像データを再生する再生手段と
を具備することを特徴とする映像再生側装置。
【発明の詳細な説明】
【技術分野】
【０００１】
この発明は、配給側において映画などの映像を複製して再生側へ配給し、再生側において配給された映像を再生する映像配給再生方法と、この方法を実現するための映像配給側装置および映像再生側装置に関する。 
【背景技術】
【０００２】
従来の映画配給上映システムの全体構成を図１９に示す。この図に示すように、映画の配給側において、映画配給業者は映画製作者が製作した映画のマスターフィルムを受け取り、これを取引先の劇場の数（より正確にはスクリーン数）に応じて焼き増しして配給用フィルムを作成し、これらを各劇場へ配給する。また、フィルムの再生側の劇場は、配給された配給用フィルムを映写機等の機器で再生することで映画の上映を行う。なお、ここでいうフィルムとは３５ｍｍの光学式フィルム（以後、３５ｍｍフィルム）を意味する。
【発明の開示】
【発明が解決しようとする課題】
【０００３】
上述した従来のシステムにおける配給用フィルムの作成コストは２２万円／本程度であり、例えば、一本の映画を５００スクリーン分だけ配給するコストは、１億１千万円程度となっていた。また、例えば、１００席規模の劇場が上記従来のシステムに基づいて営業するには、１１００万円程度の設備コストがかかっていた。すなわち、従来のシステムでは、映画配給業者および劇場にかかる負担が極めて大きかった。このような問題は映画の配給および上映に３５ｍｍフィルムを用いている限り、避けがたい問題である。 
【０００４】
ところで、近年、映画の製作から３５ｍｍフィルムを排し、デジタルメディアで代用する映画配給上映システムが提案されている。この種のシステムは、３５ｍｍフィルムをデジタルメディアで完全に代用することを目的として提案されており、従来のシステムによる上映品質を凌ぐ上映品質を達成することができる。
【０００５】
しかしながら、高い上映品質を確保するためには専用の設備が必要となることから、いずれのシステムにおいても、映画の配給コスト及び劇場の設備コストを大幅に低減することは不可能であり、このことから、この種のシステムの普及はほとんど進んでいない。 
【０００６】
もちろん、デジタルメディアを用いた映画配給上映システムにおいて汎用の設備を用いれば、上記コストの大幅な削減を期待できるが、汎用であるだけに第３者による不正コピーや不正鑑賞が発生する可能性が高くなってしまう。こうした不正利用の回避は、巨額の製作費を投じて製作される映画の配給および上映において必須の要件となっており、特に物理的には劣化無しに複製可能なデジタルデータとして映画を配給および上映する場合には、不正利用を確実に回避できる仕組みが必要である。 
【０００７】
本発明は上述した事情に鑑みて為されたものであり、不正利用から保護すべき映画等の映像を、ディジタルメディアを用いて安全に配給および再生することができる映像配給再生方法と、この方法を実現するための映像配給側装置および映像再生側装置とを提供することを目的としている。 
【課題を解決するための手段】
【０００８】
上述した課題を解決するために、この発明は、映画配給側から映画を上映する各劇場に映画を配給して上映する方法であって、前記映画配給側では、映画製作者により制作された映画のマスターフィルムから時系列に沿ったシーン毎の映画データを得て、これらシーン毎の映像データを予め決められた手順で複数のユニットにランダムに分散し、分散後の各ユニット内の映像データに暗号化を施し、前記全てのユニットを複数のＤＶＤ−ＲＯＭ（Digital Versatile Disc-Read Only Memory）にランダムに分散記憶させ、前記ＤＶＤ−ＲＯＭを１セットとして前記各劇場に配給し、前記各劇場では、配給された１セットのＤＶＤ−ＲＯＭ内の映像データをハードディスクに記憶させ、前記ハードディスクに記憶された映像データを前記各ユニット毎に読み出し、読み出した前記各ユニット毎の映像データの暗号を解除し、解除後の前記各ユニットの映像データを予め決められた手順で時系列に沿って並べかえ、並べかえた映像データを用いて映画を上映することを特徴とする映画配給方法を提供する。
【０００９】
また、この発明は、上記映像配給再生方法を実現するために配給側に設けられる映像配給側装置であって、映画製作者により制作された映画のマスターフィルムをシーン毎に読み取り、時系列に沿った当該シーン毎のアナログ形式の映像信号をシーン毎に出力するフィルム読取手段と、前記フィルム読取手段から出力されるシーン毎の映像信号をデジタル化して映像データに変換し、前記映像データを予め決められた手順で複数のユニットにランダムに分散し、分散後の各ユニット内の映像データに暗号化を施し、前記全てのユニットを複数のＤＶＤ−ＲＯＭ（Digital Versatile Disc-Read Only Memory）にランダムに分散記憶させ、前記ＤＶＤ−ＲＯＭを１セットとして作成するコンピュータ手段とを具備することを特徴とする映画配給側装置を提供する。
【００１０】
また、この発明は、上記映像配給再生方法を実現するために各劇場に設けられる映像再生側装置であって、ハードディスクと、配給された１セットのＤＶＤ−ＲＯＭ内の映像データを前記ハードディスクに記憶させ、前記ハードディスクに記憶された映像データを前記各ユニット毎に読み出し、読み出した前記各ユニット毎の映像データの暗号を解除し、解除後の前記各ユニットの映像データを予め決められた手順で時系列に沿って並べかえる復元手段と、前記復元手段により並べかえられた映像データを再生する再生手段と
を具備することを特徴とする映像再生側装置を提供する。
【発明の効果】
【００１１】
この発明によれば、複数の単位映像データの順序が時系列に沿っていない映像データが配給されるため、配給時に映像データが第３者の手に渡っても、映像データの不正な再生や複製を防止することができる。すなわち、安全な配給を必要とする映像データ（例えば映画データ）を安全に配給および再生することができる。 
また、映像データを複数の記録媒体に分散して配給するようにすれば、いずれか１つの記録媒体が第３者の手に渡っても映像データの不正な再生や複製を防ぐことができる。すなわち、より安全性を向上させることができる。さらに、映像データを暗号化して配給するようにすれば、より安全性を向上させることができる。 
また、各再生側へ配給される映像データを再生側に応じた暗号方式で暗号化して配給するようにすれば、いずれかの再生側へ配給された映像データが第３者に不正に使用されたとしても、他の再生側へ供給された映像データの安全性を確保することができる。さらに、再生側において暗号化が解除された映像データを外部へ出力できないようにすれば、より安全性を向上させることができる。 
【発明を実施するための最良の形態】
【００１２】
以下、本発明の実施形態について図面を参照して説明する。なお、各実施形態に係る映画配給上映システムは、本発明による映像配給再生方法を、２０席から１００席程度の小劇場（ミニシアター）での上映を想定した映画の配給および上映に適用して得られたものである。 
【００１３】
Ａ：第１実施形態
本発明の第１実施形態に係る映画配給上映システムについて、図１〜図１０を参照して説明する。 
【００１４】
Ａ−１：全体構成
図１は本発明の第１実施形態に係る映画配給上映システムの全体構成を示す概念図である。この図に示すように、映画の配給側には映画製作者１１と映画配給業者１２、映画の再生側（上映側）には複数の劇場１３−１，１３−２，…が存在する。映画製作者１１は映画を製作し、製作した映画のマスターフィルム１４を映画配給業者１２に渡す。映画配給業者１２はマスターフィルム１４から複数枚で１セットの配給用ＤＶＤ−ＲＯＭ（Digital Versatile Disc - Read Only Memory）１５−１，１５−２，…を作成し、これらのセットを、当該映画を上映予定の各劇場１３−１，１３−２，…へ配送する。各劇場１３−１，１３−２，…では、配送されてきた配給用ＤＶＤ−ＲＯＭ１５−１，１５−２，…を用いて当該映画を上映する。 
【００１５】
なお、以降の説明において、劇場１３−１，１３−２，…のいずれかを特定しない場合には劇場１３と表記する。このルールは他の符号においても同様に適用される。また、本実施形態においては、配給用ＤＶＤ−ＲＯＭ１５が３枚の例を挙げることが多いが、配給用ＤＶＤ−ＲＯＭ１５の枚数は映画毎に相違し得るものであり、これに限定されるものではない。 
【００１６】
Ａ−２：配給側装置の構成
次に、配給側の映画配給業者１２が有する配給側装置２０の構成について、図２〜図４を参照して説明する。図２は配給側装置２０の構成を示すブロック図であり、この図に示すように、配給側装置２０は、マスターフィルム１４をシーン（単位映像）毎に読み取り、マスターフィルム１４に応じたアナログ形式の映像信号（２４フレーム／秒）をシーン毎に出力するフィルム読み取り装置２１と、フィルム読み取り装置２１から出力された映像信号を用いて配給用ＤＶＤ−ＲＯＭ１５−１，１５−２，…を作成するコンピュータシステム２２とを有する。 
【００１７】
図３はコンピュータシステム２２の構成を示すブロック図であり、この図に示すように、コンピュータシステム２２は、各種演算処理を行うとともに各部を制御するＣＰＵ（中央処理装置）３０、ＣＰＵ３０のワークメモリとして使用されるＲＡＭ（Random Access Memory）３１、ＣＰＵ３０に読み出されて実行されるプログラム群を格納したＲＯＭ３２、ＣＰＵ３０に読み出されて実行されるオペレーティングシステムやアプリケーションプログラム等のプログラム群を格納したハードディスク３３、ユーザに対して画像を表示するＣＲＴ（Cathode Ray Tube）等のディスプレイ３４、ＣＰＵ３０から供給されたデータに応じた画像をディスプレイ３４に表示させるための表示用インタフェース３５、ユーザが指示を入力するためのキーボードやマウス等の操作部３６、操作部３６を介して入力された指示を表すデータをＣＰＵ３０へ供給する操作部用インタフェース３７、フィルム読み取り装置２１から出力された映像信号をデジタル化してＣＰＵ３０へ供給する映像信号入力用インタフェース３８、及びＣＰＵ３０に制御され、内部に挿入されたＤＶＤ−ＲＯＭへデータを書き込むＤＶＤ−ＲＯＭライタ３９を有する。なお、ハードディスク３３はＣＰＵ３０に読み書きされるものであり、各種映像データの保管にも使用される。 
【００１８】
コンピュータシステム２２は、図示せぬ電源の投入や操作部３６により入力されるユーザの指示に基づいてＣＰＵ３０がＲＯＭ３２及びハードディスク３３に格納されたプログラム群を実行することにより、配給用ＤＶＤ−ＲＯＭ１５−１，１５−２，…を作成するための処理を行うように構成されている。以下、この処理に着目してコンピュータシステム２２の機能について説明する。 
【００１９】
図４はコンピュータシステム２２において配給用ＤＶＤ−ＲＯＭ１５−１，１５−２，…が作成される過程を示す概念図であり、この図に示すように、コンピュータシステム２２の映像信号入力用インタフェース３８は、フィルム読み取り装置２１から出力されたアナログ形式の映像信号をデジタル化してシリアル映像データ４１を生成し、ＣＰＵ３０へ供給する。このシリアル映像データ４１は映画中のシーン毎の映像データであるシーンデータ４２−１，４２−２，…を映画の再生順に並べたデータであり、ＤＶＤ−Ｖｉｄｅｏ規格に準拠したデータ（６０フレーム／秒）となっている。 
【００２０】
ＣＰＵ３０は映像信号入力用インタフェース３８から供給されたシリアル映像データ４１をハードディスク３３に格納し、さらに各シーンデータ４２−１，４２−２，…を複数（例えば６）のユニット４３−１，４３−２，…にランダムに分散してなる非シリアル映像データ４４を作成する。なお、この際、ＣＰＵ３０は各ユニット４３に連続した番号（例えば、ユニット４３−１，４３−２，…に対する１，２，…）を付与する。さらに、ＣＰＵ３０は非シリアル映像データ４４に対して、シーンデータ４２毎にＤＶＤ−Ｖｉｄｅｏ規格で規定されたＣＳＳ（コンテンツ・スクランブル・システム）に基づいた暗号化を施し、暗号化シーンデータ４６−１，４６−２，…から構成された暗号化非シリアル映像データ４５を生成する。 
【００２１】
さらに、ＣＰＵ３０は、１枚目のＤＶＤ−ＲＯＭのＤＶＤ−ＲＯＭライタ３９への挿入を促す画像を、表示用インタフェース３５を介してディスプレイ３４に表示させ、ＤＶＤ−ＲＯＭライタ３９へ適切なＤＶＤ−ＲＯＭが挿入されると、全ユニット４３−１，４３−２，…からランダムに抽出した複数（例えば２）のユニットを当該ＤＶＤ−ＲＯＭに書き込む。さらに、ＣＰＵ３０は２枚目、３枚目、…のＤＶＤ−ＲＯＭについても１枚目と同様の処理を行い、配給用ＤＶＤ−ＲＯＭ１５−１，１５−２，…を作成する。ただし、ＣＰＵ３０は各ユニット４３について１度しかＤＶＤ−ＲＯＭへの書き込みを行わない。すなわち、全ユニット４３−１，４３−２，…は配給用ＤＶＤ−ＲＯＭ１５−１，１５−２，…に分散されて重複なく記録される。なお、ＣＰＵ３０は、ユーザにより設定されたセット数の配給用ＤＶＤ−ＲＯＭ１５−１，１５−２，…を繰り返し作成する機能を有する。 
【００２２】
Ａ−３：再生側装置の構成
次に、再生側の劇場１３が有する再生側装置５０の構成について、図５〜図８を参照して説明する。図５は再生側装置５０の構成を示すブロック図であり、この図に示すように、再生側装置５０はシリアル化装置５１と映写機５２とを有し、両者を接続することで構成されている。 
【００２３】
図６はシリアル化装置５１の構成を示すブロック図であり、この図に示すように、シリアル化装置５１は各種演算処理を行うとともに各部を制御するＣＰＵ６０、ＣＰＵ６０のワークメモリとして使用されるＲＡＭ６１、ＣＰＵ６０に読み出されて実行されるプログラムを格納したＲＯＭ６２、ＣＰＵ６０に読み書きされるハードディスク６３、ユーザに対して画像を表示する液晶ディスプレイ等のディスプレイ６４、ＣＰＵ６０からのデータに応じた画像をディスプレイ６４に表示させるための表示用インタフェース６５、ユーザが指示を入力するための操作ボタン等の操作部６６、操作部６６を介して入力された指示を表すデータをＣＰＵ６０へ供給する操作部用インタフェース６７、ＣＰＵ６０に制御され、内部に挿入されたＤＶＤ−ＲＯＭからデータを読み出すＤＶＤ−ＲＯＭドライブ６８、及びＣＰＵ６０からのデータ（デジタル形式の映像データや指示）を映写機５２へ出力する映写機用インタフェース６９を有する。 
【００２４】
図７は映写機５２の構成を示すブロック図であり、この図に示すように、映写機５２は各種演算処理を行うとともに各部を制御するＣＰＵ７０、ＣＰＵ７０のワークメモリとして使用されるＲＡＭ７１、ＣＰＵ７０に読み出されて実行されるプログラムを格納したＲＯＭ７２、ＣＰＵ７０に読み書きされるハードディスク７３、映像を映写する映写部７５、ＣＰＵ７０からの映像データ（６０フレーム／秒）に応じた映像を最適化し（２４フレーム／秒に変換し）、映写部７５により映写させるための映写用インタフェース７６、シリアル化装置５１から出力されたデータを入力するための入力用インタフェース７４とを有する。 
【００２５】
シリアル化装置５１は、図示せぬ電源の投入や操作部３６により入力されるユーザの指示に基づいてＣＰＵ６０がＲＯＭ６２に格納されたプログラムを実行することにより、配給用ＤＶＤ−ＲＯＭ１５−１，１５−２，…から映写機５２にて映写可能な映像データを作成するための処理を行うように構成されている。また、映写機５２は、図示せぬ電源の投入やシリアル化装置５１側からの指示に基づいてＣＰＵ７０がＲＯＭ７２に格納されたプログラムを実行することにより、入力された映像データに応じた映像を映写するための処理を行うように構成されている。以下、これらの処理に着目してシリアル化装置５１及び映写機５２の機能について説明する。 
【００２６】
図８は再生側において配給用ＤＶＤ−ＲＯＭ１５−１，１５−２，…に格納されたデータが再生される過程を示す概念図であり、この図に示すように、シリアル化装置５１のＣＰＵ６０は、１枚目のＤＶＤ−ＲＯＭ１５−１のＤＶＤ−ＲＯＭドライブ６８への挿入を促す画像を、表示用インタフェース６５を介してディスプレイ６４に表示させ、ＤＶＤ−ＲＯＭドライブ６８へＤＶＤ−ＲＯＭ１５−１が挿入されると、このＤＶＤ−ＲＯＭ１５−１に格納されたユニット４３（例えば、ユニット４３−１及び４３−２）を読み取り、ハードディスク６３に格納する。さらに、ＣＰＵ６０は２枚目、３枚目、…のＤＶＤ−ＲＯＭ１５についても１枚目と同様の処理を行い、ハードディスク６３に全ユニット４３−１，４３−２，…を格納する。 
【００２７】
さらに、ＣＰＵ６０はハードディスク６３上の全ユニット４３−１，４３−２，…内のシーンデータ４６−１，４６−２，…から構成された暗号化非シリアル映像データ４５に対して、シーンデータ４６毎にＣＳＳに基づいた暗号化の解除を行い、非シリアル映像データ４４を生成する。さらに、ＣＰＵ６０はこの非シリアル映像データ４４内のシーンデータ４２−１，４２−２，…を予め設定された手順で正しい再生順に並べ替えることでシリアル映像データ４１を生成し、このシリアル映像データ４１に対して、シーンデータ４２毎にＣＳＳに基づいた暗号化を施して暗号化シリアル映像データ８０を生成し、これを、映写機用インタフェース６９を介して映写機５２へ出力する。なお、暗号化シリアル映像データ８０はシーンデータ４６−１，４６−２，…を正しい再生順に並べたデータである。 
【００２８】
一方、映写機５２のＣＰＵ７０は、入力用インタフェース７４を介して暗号化シリアル映像データ８０が入力されると、これをハードディスク７３に格納する。さらに、ＣＰＵ７０は、ハードディスク７３に格納された暗号化シリアル映像データ８０を構成する各シーンデータ４６−１，４６−２，…に対して、ＣＳＳに基づいた暗号化の解除を行い、シリアル映像データ４１を作成する。なお、映写機５２は映像データの出力を認めないように構成されており、その分解時にはハードディスク７３上のデータが消去されるように構成されている。 
【００２９】
また、シリアル化装置５１のＣＰＵ６０は、操作部６６から所定の指示が入力されると、映写開始指示を、映写機用インタフェース６９を介して映写機５２へ出力する。映写機５２のＣＰＵ７０は、入力用インタフェース７４を介して映写開始指示が入力されると、映写部７５及び映写用インタフェース７６をアクティブとし、シリアル映像データ４１を映写用インタフェース７６へ供給する。すなわち、映写機５２はシリアル化装置５１からの映写開始指示を契機として、ハードディスク７３内のシリアル映像データ４１の再生（すなわち映写）を開始する。 
【００３０】
Ａ−４：映画配給上映の流れ
次に、上述した構成の映画配給上映システムにおける映画の配給および上映の流れについて、主に図９及び図１０を参照して説明する。ただし、以下の説明では、各装置２１，２２，５１，５２の電源は既に投入されているものとする。また、シリアル化装置５１においてシーンデータ４６−１，４６−２，…の並べ替え手順が既に設定されているものとする。 
【００３１】
図９は配給側における配給処理の流れを示すフローチャートであり、この図に示すように、映画製作者１１からマスターフィルム１４を受け取ると、映画配給業者１２において、ユーザが当該マスターフィルム１４をフィルム読み取り装置２１に読み取らせる。これにより、図４に示すように、マスターフィルム１４に応じたアナログ形式の映像信号がコンピュータシステム２２へ入力され、デジタル信号に変換される（ステップＳＡ１）。なお、マスターフィルム１４の読み取りはシーン毎に順に行われることから、コンピュータシステム２２のハードディスク３３には、シーン毎のデジタル形式の映像信号であるシーンデータ４２−１，４２−２，…を順に並べたシリアル映像データ４１が格納される。 
【００３２】
コンピュータシステム２２では、全シーンデータ４２−１，４２−２，…をランダムな順序で重複なく格納したユニット４３−１，４３−２，…からなる非シリアル映像データ４４が作成される（ステップＳＡ２）。さらに、コンピュータシステム２２では、非シリアル映像データ４４内の各シーンデータ４２−１，４２−２，…に対してＣＳＳに基づいた暗号化が施されて暗号化非シリアル映像データ４５が生成される（ステップＳＡ３）。 
【００３３】
こうして作成された暗号化非シリアル映像データ４５はユニット４３毎にランダムな順序でＤＶＤ−ＲＯＭに書き込まれ、配給用ＤＶＤ−ＲＯＭ１５−１，１５−２，…が１セットだけ作成される（ステップＳＡ４）。ステップＳＡ４の処理は、映画の上映を予定している劇場１３の数だけ繰り返される（ステップＳＡ５）。そして、映画の上映を予定している劇場１３の数のセットが完成すると、ユーザは各セットを劇場１３へ配送する（ステップＳＡ６）。 
【００３４】
図１０は再生側における再生処理の流れを示すフローチャートであり、この図に示すように、劇場１３において、ユーザは映画配給業者１２から配給用ＤＶＤ−ＲＯＭ１５−１，１５−２，…を受け取ると（ステップＳＢ１）、シリアル化装置５１を操作して配給用ＤＶＤ−ＲＯＭ１５−１，１５−２，…を読み取らせる（ステップＳＢ２）。これにより、シリアル化装置５１内のハードディスク６３に暗号化非シリアル映像データ４５が格納される。 
【００３５】
次に、シリアル化装置５１において、ハードディスク６３内の暗号化非シリアル映像データ４５を構成する全シーンデータ４６−１，４６−２，…の暗号化が解除されて非シリアル映像データ４４が生成され、更にこの非シリアル映像データ４４を構成する全シーンデータ４２−１，４２−２，…が予め設定された手順にしたがって並べ替えられてシリアル映像データ４１が生成され、更にこのシリアル映像データ４１がシーンデータ４２−１，４２−２，…毎に暗号化されて暗号化シリアル映像データ８０が作成される（ステップＳＢ３）。この暗号化シリアル映像データ８０は映写機５２へ供給される。 
【００３６】
映写機５２では、暗号化シリアル映像データ８０を構成する全シーンデータ４６−１，４６−２，…の暗号化が解除されてシリアル映像データ４１が作成される（ステップＳＢ４）。そして、ユーザがシリアル化装置５１を介して映写開始指示を入力すると、映写機５２においてシリアル映像データ４１が再生される（ステップＢ５）。この結果、映写機５２の映写部７５からシリアル映像データ４１に応じた映像が映写され、映画が上映される。 
【００３７】
Ａ−５：補足
以上説明したように、本実施形態によれば、映画配給業者１２から劇場１３へ配送されるＤＶＤ−ＲＯＭ１５−１，１５−２，…に格納された映像データはシーン毎にランダムに並べ替えられ、かつ、シーン毎に暗号化されたデータであることから、配送途中で配給用ＤＶＤ−ＲＯＭ１５−１，１５−２，…の一部あるいは全部が第３者の手に渡ったとしても、正当な再生側装置５０を持たない第３者がこれを正しく再生することは不可能である。すなわち、映画の不正鑑賞を防止することができる。 
【００３８】
また、本実施形態によれば、シリアル化装置５１から暗号化を解除された映像データが出力されることはないため、上記第３者が正当な再生側装置５０を有していても、シリアル映像データ４１の複製を行うことはできない。すなわち、不正コピーを防止することができる。なお、本実施形態では、シリアル化装置５１と映写機５２とを別体としたが、図１１に示すように、一体化してもよい。図１１はシリアル化装置５１と映写機５２とを一体化した再生側装置１１０の構成を示すブロック図であり、図６および図７と共通する部分には同一の符号が付されている。この図において、唯一新設されたＲＯＭ１１１はＲＯＭ６２に格納されたプログラム及びＲＯＭ７２に格納されたプログラムを格納したものであり、このことから明らかなように、再生側装置１１０はシリアル化装置５１及び映写機５２として機能する。なお、外部への映像データの出力を認めないように構成されている点は映写機５２と同様である。このようにシリアル化装置５１と映写機５２とを一体化して構成すれば、より確実に不正コピーを防止することができる。 
【００３９】
さらに、本実施形態によれば、複数枚で１セットの配給用ＤＶＤ−ＲＯＭ１５を配給するようにしたため、配給の過程でセットの一部が第３者の手に渡ったとしても、第３者が映画を観賞することはできない。すなわち、映画の不正鑑賞をより確実に防止することができる。なお、セットを構成する各配給用ＤＶＤ−ＲＯＭ１５を別送するようにすれば、より確実に不正鑑賞を防止できる。また、上述した実施形態では、映画製作者１１から映画配給業者１２へマスターフィルム１４が渡される例を示したが、映画製作者１１が映画配給業者１２へシリアル映像データ４１を渡すようにしてもよいことは言うまでもない。
【００４０】
また、上述した実施形態では、各劇場１３へ配送する配給用ＤＶＤ−ＲＯＭ１５−１，１５−２，…に対してＣＳＳに基づいた同一の暗号化を適用したため、劇場１３において、一般的な暗号化解除手法を適用することができる。したがって、シリアル化装置５１及び映写機５２の製造コストを抑制することができる。なお、逆に、配給用ＤＶＤ−ＲＯＭ１５−１，１５−２，…に対する暗号化を劇場１３毎に相違させる態様も考えられる。例えば、ＣＳＳにおいて用いられる暗号鍵を劇場１３毎に相違させ、劇場１３において固有の暗号鍵を用いた暗号化の解除を行う態様である。この態様では、第３者が劇場１３−１の暗号鍵を入手し、かつ劇場１３−２へ配給される配給用ＤＶＤ−ＲＯＭ１５−１，１５−２，…の全てを入手し、かつ偶然に各シーンを正しく並べ替えることができたとしても、劇場１３−２の暗号鍵が劇場１３−１の暗号鍵と異なるために、配給用ＤＶＤ−ＲＯＭ１５−１，１５−２，…に対する暗号化を解除することはできない。すなわち、全体として、より確実に不正鑑賞や不正コピーを防止することができる。また、このことから明かなように、映画配給業者１２毎に暗号鍵を相違させる態様によれば、やはり、全体として、より確実に不正鑑賞や不正コピーを防止することができる。 
【００４１】
なお、上述した実施形態では、シリアル化装置５１において並べ替えの手順が予め設定されている例を示したが、この手順を映画配給業者１２から劇場１３へ通知するようにしてもよい。例えば、並べ替え手順を示す情報を映画配給業者１２がファクシミリ等の通信手段を用いて劇場１３へ通知し、この情報を用いて劇場１３におけるユーザがシリアル化装置５１を操作することで適切な並べ替え手順を設定するようにしてもよいし、コンピュータシステム２２におけるランダム化のアルゴリズムとシリアル化装置５１における並べ替え手順を決定するアルゴリズムとを上映開始日をキーとし、かつ互いに相関を有するアルゴリズムとし、シリアル化装置５１において上映開始日にのみ適切な並べ替えの手順が得られるようにしてもよい。また、暗号鍵を劇場１３毎に相違させる場合には、コンピュータシステム２２におけるランダム化のアルゴリズムとシリアル化装置５１における並べ替え手順を決定するアルゴリズムとを、この暗号鍵をキーとし、かつ互いに相関を有するアルゴリズムとしてもよい。 
【００４２】
なお、図４におけるシーンデータ４２に相当するシーンの長さを設定できるようにしてもよい。例えば、データの圧縮率を優先する場合には各シーンの時間長さをある程度の長さとして圧縮率の向上を図るようにしてもよい。また、上述した実施形態においては、配給側装置２０においてシリアル映像データ４１を非シリアル化してから暗号化する例を示したが、配給側装置２０においてシリアル映像データ４１を暗号化してから非シリアル化し、再生側装置５０においてシリアル化してから暗号化の解除を行うようにしてもよい。この場合、シリアル化装置５１における暗号化の解除および再暗号化は不要となる。さらに、再生側装置５０において、映像バッファを設け、複数の配給用ＤＶＤ−ＲＯＭから正しい順序で（シリアルに）映像データを読み出しつつ暗号化を解除してシリアル映像データ４１を得るようにしてもよい。 
【００４３】
Ｂ：第２実施形態
本発明の第２実施形態に係る映画配給上映システムについて、図１２〜図１８を参照して説明する。ただし、各図において図１〜図１１と共通する部分には同一の符号を付し、その説明を省略する。 
【００４４】
Ｂ−１：全体構成
図１２は本発明の第２実施形態に係る映画配給上映システムの全体構成を示す概念図であり、この図に示す映画配給上映システムが図１に示すシステムと異なる点は、映画製作者１１が製作した映画のマスターフィルム１４に対する映画配給業者１２０の出力が暗号化非シリアル映像データ４５である点と、この暗号化非シリアル映像データ４５を衛星配信設備を有するデータ配信業者１２１が受け取って衛星経由で配信する点と、当該映画を上映予定の各劇場１２２−１，１２２−２，…が、配信された暗号化非シリアル映像データ４５を受信し、このデータを用いて当該映画を上映する点である。なお、本実施形態において、データ配信業者１２１は配信側に分類されている。 
【００４５】
Ｂ−２：配給側装置の構成
次に、配給側の映画配給業者１２０及びデータ配信業者１２１が有する配給側装置１３０の構成について、図１３及び図１４を参照して説明する。図１３は配給側装置１３０の構成を示すブロック図であり、この図に示すように、配給側装置１３０はフィルム読み取り装置２１と、フィルム読み取り装置２１から出力された映像信号を用いて暗号化非シリアル映像データ４５を生成して送信するコンピュータシステム１３１と、コンピュータシステム１３１から送信された暗号化非シリアル映像データ４５を更に暗号化して劇場１２２−１，１２２−２，…へ配信する衛星配信設備１３２を有する。 
【００４６】
図１４はコンピュータコンピュータシステム１３１の構成を示すブロック図であり、この図に示す構成が図３に示す構成と異なる点は、ＤＶＤ−ＲＯＭライタ３９、ＲＯＭ３２、及びハードディスク３３に代えて、暗号化非シリアル映像データ４５を衛星配信設備１３２へ送信するための通信部１４０と、ＲＯＭ３２及びハードディスク３３に対して、ＤＶＤ−ＲＯＭライタ３９を制御するためのプログラムを削除し、通信部１４０を制御するためのプログラムを追加したＲＯＭ１４１及びハードディスク１４２とを設けた点である。 
【００４７】
配給側装置１３０は、図示せぬ電源の投入時や操作部３６により入力されるユーザの指示に基づいてＣＰＵ３０がＲＯＭ１４１及びハードディスク１４２に格納されたプログラム群を実行することにより各種処理を行うものであり、その処理内容において、配給側装置２０の処理内容と異なる点は、暗号化非シリアル映像データ４５をＤＶＤ−ＲＯＭに書き込む処理を行わずに、通信部１４０を介して衛星配信設備１３２へ送信する点である。すなわち、本実施形態において、図４における最終形態は配給用ＤＶＤ−ＲＯＭ１５−１，１５−２，…ではなく、暗号化非シリアル映像データ４５となる。 
【００４８】
Ｂ−３：再生側装置の構成
次に、再生側の劇場１２２が有する再生側装置１５０の構成について、図１５及び図１６を参照して説明する。図１５は再生側装置１５０の構成を示すブロック図であり、この図に示すように、再生側装置１５０は衛星配信設備１３２から配信されたデータを受信して出力する衛星受信装置１５１と、衛星受信装置１５１から出力されたデータを入力し、このデータに基づいて暗号化シリアル映像データ８０を生成して出力するシリアル化装置１５２と、この暗号化シリアル映像データ８０を再生する映写機５２とを有する。
【００４９】
図１６はシリアル化装置１５２の構成を示すブロック図であり、この図に示す構成が図６に示す構成と異なる点は、ＤＶＤ−ＲＯＭドライブ６８及びＲＯＭ６２に代えて、衛星受信装置１５１から出力されたデータを入力するための暗号化非シリアル映像データ入力部１６０と、ＲＯＭ６２に対して、ＤＶＤ−ＲＯＭドライブ６８を制御するためのプログラムを削除し、衛星受信装置１５１を制御するためのプログラムを追加したＲＯＭ１６１とを設けた点である。 
【００５０】
シリアル化装置１５２は、図示せぬ電源の投入時や操作部６６により入力されるユーザの指示、衛星受信装置１５１からのデータ入力等に基づいて、ＣＰＵ６０がＲＯＭ１６１に格納されたプログラムを実行することにより各種処理を行うものであり、その処理内容において、シリアル化装置５１の処理内容と異なる点は、暗号化非シリアル映像データ４５をＤＶＤ−ＲＯＭから読み出す処理を行わずに、暗号化非シリアル映像データ入力部１６０を介して入力する点である。すなわち、本実施形態においては、図８に示す処理のうち、暗号化非シリアル映像データ４５以降の処理が行われる。 
【００５１】
Ｂ−４：映画配給上映の流れ
次に、上述した構成の映画配給上映システムにおける映画の配給および上映の流れについて、主に図１７及び図１８を参照して説明する。ただし、以下の説明では、各装置２１，１３１，１３２，５１，１５１，１５２の電源は既に投入されているものとする。また、シリアル化装置１５２においてシーンデータ４６−１，４６−２，…の並べ替え手順が既に設定されているものとする。さらに、映画を上映予定の劇場１２２の衛星受信装置１５１において、衛星配信設備１３２による暗号化を解除する準備は完了しているものとする。 
【００５２】
図１７は配給側における配給処理の流れを示すフローチャートであり、本実施形態における配給処理の流れは、ステップＳＡ１〜ＳＡ３まで第１実施形態における映画配給上映システムと同一である。ステップＳＡ３までにコンピュータシステム１３１において作成された暗号化非シリアル映像データ４５は、ユニット４３毎にランダムな順序で衛星配信設備１３２へ送信され、衛星配信設備１３２から劇場１２２−１，１２２−２，…へ配信される（ステップＳＣ１）。 
【００５３】
図１８は再生側における再生処理の流れを示すフローチャートであり、この図に示すように、暗号化非シリアル映像データ４５は劇場１２２の衛星受信装置１５１を介してシリアル化装置１５２に入力される（ステップＳＤ１）。この暗号化非シリアル映像データ４５はシリアル化装置１５２のハードディスク６３に格納され、以後、第１実施形態における映画配給上映システムと同様に、ステップＳＢ２〜ＳＢ４の処理が行われる。この結果、映写機５２の映写部７５からシリアル映像データ４１に応じた映像が映写され、映画が上映される。 
【００５４】
Ｂ−５：補足
上述した第２実施形態によれば、第１実施形態と同様の効果を得ることができる。さらに、第２実施形態では映画配給業者１２０において配給用のメディアを複製する必要がないため、映画配給業者１２０において発生する手間を大幅に削減することができる。なお、第１実施形態にて述べた各種変形を第２に実施形態に適用してもよい。ただし、第２実施形態においては、映写機５２とシリアル化装置１５２のみならず、衛星受信装置１５１をも一体化させてもよい。 
【００５５】
なお、第２実施形態では、再生側の衛星受信装置１５１において衛星配信設備１３２による暗号化を解除する準備が予め完了している例を挙げたが、この暗号化を解除するための暗号鍵を映画配給業者１２０から劇場１２２へ通知するようにしてもよい。例えば、この暗号鍵を示す情報を映画配給業者１２０が電話等の通信手段を用いて劇場１２２へ通知し、この情報を用いて劇場１２２におけるユーザが衛星受信装置１５１を操作することで衛星配信設備１３２による暗号化を解除するようにしてもよい。 
【００５６】
Ｃ：全体の補足
以上説明したように、本発明の各実施形態によれば、デジタルメディアを用いた映画の安全な配給および上映が可能となる。これに加えて、本発明の各実施形態では、ＤＶＤ−Ｖｉｄｅｏ等の一般的な規格を採用して配給コストおよび上映設備コストを低減しているため（例えば配給コストは従来の約１／１００、上映設備コストは従来の約１／４）、３５ｍｍフィルを用いた従来のシステムの単なる置き換えのみならず、新たなビジネスモデルの創出が期待される。 
【００５７】
例えば、従来の劇場は、映画の配給コストや上映設備コスト等を回収するために多数の観客に利用してもらう必要があり、その設置場所は、多量の集客を見込める繁華街になることが多かった。すなわち、繁華街に行かない人達は映画から遠ざけられていたといえる。本発明の各実施形態によれば、映画の配給および上映設備コストを大幅に削減できるため、繁華街以外の地域にも劇場を設置できることになる。つまり、従来のシステムでは切り捨てざるを得なかった人達に劇場での映画鑑賞の機会を与えることが可能となる。 
【００５８】
また、映画の配給コストや上映設備コストの大幅な削減は、劇場の形態そのものの多様化を促す可能性がある。例えば、２０〜５０席規模のプライベート感覚の劇場を用意し、さらに、給仕サービス等を設ける等して、通常の劇場空間ではリラックスできないために劇場へ足を運ばない人達を映画鑑賞に惹き付けることも考えられる。従来のシステムにおいてこのような劇場を実現しようとすると、利用者の費用負担が非現実的に高くなってしまうが、本発明の各実施形態によれば、このような劇場を実現することも可能である。 
【００５９】
なお、本発明の各実施形態は、新たなビジネスモデルの創出のみならず、既存の劇場の収益性改善にも有効である。例えば、２００〜５００席規模の１つの劇場と５０〜１００席規模の複数の小劇場とを組み合わせたシネマコンプレックスにおいて、複数の小劇場については上記各実施形態による映画配給上映システムを採用し、２００〜５００席規模の劇場では３５ｍｍフィルムを用いた従来のシステムを採用することで、シネマコンプレックス全体の収益性を向上させることが考えられる。 
【００６０】
なお、上述した各実施形態においては本発明を映画の配給および上映に適用した例を示したが、本発明はこれに限定されず、保護すべき映像を配給および再生する様々なシステムに適用可能である。 
【図面の簡単な説明】
【００６１】
【図１】本発明の第１実施形態に係る映画配給上映システムの全体構成を示す概念図である。
【図２】同映画配給上映システムを構成する配給側装置２０の構成を示すブロック図である。
【図３】同配給側装置２０を構成するコンピュータシステム２２の構成を示すブロック図である。
【図４】同コンピュータシステム２２において配給用ＤＶＤ−ＲＯＭ１５−１〜１５−３が作成される過程を示す概念図である。
【図５】同映画配給上映システムを構成する再生側装置５０の構成を示すブロック図である。
【図６】同再生側装置５０を構成するシリアル化装置５１の構成を示すブロック図である。
【図７】同再生側装置５０を構成する映写機５２の構成を示すブロック図である。
【図８】同映画配給上映システムの再生側において配給用ＤＶＤ−ＲＯＭ１５−１〜１５−３に格納されたデータが再生される過程を示す概念図である。
【図９】同映画配給上映システムの配給側における配給処理の流れを示すフローチャートである。
【図１０】同映画配給上映システムの再生側における再生処理の流れを示すフローチャートである。
【図１１】同映画配給上映システムのシリアル化装置５１と映写機５２とを一体化した再生側装置１１０の構成を示すブロック図である。
【図１２】本発明の第２実施形態に係る映画配給上映システムの全体構成を示す概念図である。
【図１３】同映画配給上映システムを構成する配給側装置１３０の構成を示すブロック図である。
【図１４】同配給側装置２０を構成するコンピュータコンピュータシステム１３１の構成を示すブロック図である。
【図１５】同映画配給上映システムを構成する再生側装置１５０の構成を示すブロック図である。
【図１６】同再生側装置１５０を構成するシリアル化装置１５２の構成を示すブロック図である。
【図１７】同映画配給上映システムの配給側における配給処理の流れを示すフローチャートである。
【図１８】同映画配給上映システムの再生側における再生処理の流れを示すフローチャートである。
【図１９】従来の映画配給上映システムの概略を示す概念図である。
【符号の説明】
【００６２】
２０，１３０……配給側装置、２１……フィルム読み取り装置、２２，１３１……コンピュータシステム、５０，１１０，１５０……再生側装置、５１，１５２……シリアル化装置、５２……映写機、１３２……衛星配信設備、１５１……衛星受信装置。
【図１】
2005143125.tif 000003
【図２】
2005143125.tif 000004
【図３】
2005143125.tif 000005
【図４】
2005143125.tif 000006
【図５】
2005143125.tif 000007
【図６】
2005143125.tif 000008
【図７】
2005143125.tif 000009
【図８】
2005143125.tif 000010
【図９】
2005143125.tif 000011
【図１０】
2005143125.tif 000012
【図１１】
2005143125.tif 000013
【図１２】
2005143125.tif 000014
【図１３】
2005143125.tif 000015
【図１４】
2005143125.tif 000016
【図１５】
2005143125.tif 000017
【図１６】
2005143125.tif 000018
【図１７】
2005143125.tif 000019
【図１８】
2005143125.tif 000020
【図１９】
2005143125.tif 000021